(57)【要約】【課題】異なる複数の電源電圧に対応可能な電磁継電器および端子台を提供すること。【解決手段】電磁継電器および端子台が、電圧変換部を備える。電圧変換部が、コイルに隣接して配置されて第１コイル端子および第２コイル端子に電気的に接続されていると共に、第１コイル端子を介して入力された電源電圧を入力された電源電圧とは異なる設定値に変換した後、第２コイル端子を介して電磁石部に出力するように構成されている。【選択図】図２
2019129010.tif 000002
【特許請求の範囲】
【請求項１】
設置面を有するベースと、
前記設置面を覆うように前記ベースに取り付けられて前記設置面と共に収容部を構成するケースと、
コイルと、前記収容部の外部から前記収容部の内部まで前記設置面に交差する方向に延びかつ前記ベースに固定された第１コイル端子と、前記コイルに電気的に接続されていると共に前記第１コイル端子とは電気的に独立して配置された第２コイル端子とを有し、前記収容部に配置されかつ前記設置面に固定されている電磁石部と、
前記収容部内で前記コイルに隣接して配置されて前記第１コイル端子および前記第２コイル端子に電気的に接続されていると共に、前記第１コイル端子を介して入力された電源電圧を入力された前記電源電圧とは異なる設定値に変換した後、前記第２コイル端子を介して前記電磁石部に出力する電圧変換部と
を備える、電磁継電器。
【請求項２】
前記電圧変換部が、
前記電源電圧が前記第２コイル端子を介して出力されたときから経過した時間を計測する時間計測部を有し、
前記時間計測部により計測された時間が所定の時間に到達した場合に、前記電源電圧を前記設定値よりも低くなるように降圧して出力するように構成されている、請求項１の電磁継電器。
【請求項３】
前記コイルが、前記設置面に交差する方向に延びるコイル軸回りに巻回されており、
前記コイル軸に平行でかつ前記第１コイル端子および前記第２コイル端子の間に跨がって配置されている基板と、この基板の同一板面にそれぞれ固定された前記電圧変換部、コンデンサおよびツェナーダイオードとからなるＩＣコンバータモジュールをさらに備える、請求項１または２の電磁継電器。
【請求項４】
前記第１コイル端子と前記第２コイル端子とが、前記コイルの近傍で前記コイル軸に平行かつ直列的に配置されている、請求項３の電磁継電器。
【請求項５】
前記電圧変換部が、前記設置面に一体に設けられている、請求項１または２の電磁継電器。
【請求項６】
前記電圧変換部が、サージ電圧吸収用ダイオードを有している、請求項１から５のいずれか１つの電磁継電器。
【請求項７】
内部に第１収容部を有するリレーハウジングと、前記第１収容部の外部から前記第１収容部の内部まで延びるコイル端子を有し、前記第１収容部に配置されかつ前記リレーハウジングに固定されていると共に、前記コイル端子を介して電源から電力が供給される電磁石部とを有する電磁継電器を接続可能な端子台であって、
内部に第２収容部を有し、前記電磁継電器を外部から接続可能な接続面が設けられた端子台ハウジングと、
前記第２収容部に配置され、前記電源の電源端子が接続可能な第１端子接続部と、
前記第２収容部に配置され、前記接続面に接続された前記電磁継電器の前記コイル端子が接続可能な第２端子接続部と、
前記第２収容部に配置されかつ前記第１端子接続部および前記第２端子接続部に電気的に接続されていると共に、前記第１端子接続部を介して入力された電源電圧を入力された前記電源電圧とは異なる設定値に変換した後、前記第２端子接続部を介して前記電磁石部に出力する電圧変換部と
を備える、端子台。
【請求項８】
前記電圧変換部が、
前記電源電圧が前記第２端子接続部を介して出力されたときから経過した時間を計測する時間計測部を有し、
前記時間計測部により計測された時間が所定の時間に到達した場合に、前記電源電圧を前記設定値よりも低くなるように降圧して出力するように構成されている、請求項７の端子台。
【請求項９】
基板と、この基板の同一板面にそれぞれ固定された前記電圧変換部、コンデンサおよびツェナーダイオードとで構成されているＩＣコンバータモジュールをさらに備える、請求項７または８の端子台。
【請求項１０】
前記電圧変換部が、前記第２収容部内で前記端子台ハウジングに一体に設けられている、請求項７または８の端子台。
【請求項１１】
前記電圧変換部が、サージ電圧吸収用ダイオードを有している、請求項７から１０のいずれか１つの端子台。
【発明の詳細な説明】
【技術分野】
【０００１】
本開示は、電磁継電器および電磁継電器を接続可能な端子台に関する。
【背景技術】
【０００２】
特許文献１には、ベースと、ベース上に設置された電磁石装置および接点機構と、電磁石装置および接点機構を覆うようにベースに取り付けられたケースとを備えた電磁継電器が開示されている。この電磁継電器の電磁石装置は、略円筒形状の胴部と、この胴部の長手方向の両端に設けられた鍔部とで構成されたスプールと、このスプールの胴部に設けられたコイルとを有している。
【先行技術文献】
【特許文献】
【０００３】
【特許文献１】特開２０１７−５４７５８号公報
【発明の概要】
【発明が解決しようとする課題】
【０００４】
前記電磁継電器では、電磁石装置に入力される電源電圧が予め設定され、設定された電源電圧に対応する線径の巻線で専用のコイルが設けられる。このため、例えば、大きさが異なる複数の電源電圧が使用される場合、電源電圧毎に対応する専用のコイルが設けられた電磁石装置を用意する必要があり、電源電圧の設定を変更することが難しい場合がある。
【０００５】
本開示は、異なる複数の電源電圧に対応可能な電磁継電器および端子台を提供することを目的とする。
【課題を解決するための手段】
【０００６】
本開示の一例の電磁継電器は、
設置面を有するベースと、
前記設置面を覆うように前記ベースに取り付けられて前記設置面と共に収容部を構成するケースと、
コイルと、前記収容部の外部から前記収容部の内部まで前記設置面に交差する方向に延びかつ前記ベースに固定された第１コイル端子と、前記コイルに電気的に接続されていると共に前記第１コイル端子とは電気的に独立して配置された第２コイル端子とを有し、前記収容部に配置されかつ前記設置面に固定されている電磁石部と、
前記コイルに隣接して配置されて前記第１コイル端子および前記第２コイル端子に電気的に接続されていると共に、前記第１コイル端子を介して入力された電源電圧を入力された前記電源電圧とは異なる設定値に変換した後、前記第２コイル端子を介して前記電磁石部に出力する電圧変換部と
を備える。
【０００７】
また、本開示の一例の端子台は、
内部に第１収容部を有するリレーハウジングと、前記第１収容部の外部から前記第１収容部の内部まで延びるコイル端子を有し、前記第１収容部に配置されかつ前記ベースに固定されていると共に、前記コイル端子を介して電源から電力が供給される電磁石部とを有する電磁継電器を接続可能な端子台であって、
内部に第２収容部を有する端子台ハウジングと、
前記第２収容部に配置され、前記電源の電源端子が接続可能な第１端子接続部と、
前記第２収容部に配置され、前記接続面に接続された前記電磁継電器の前記コイル端子が接続可能な第２端子接続部と、
前記第２収容部に配置されかつ前記第１端子接続部および前記第２端子接続部に電気的に接続されていると共に、前記第１端子接続部を介して入力された電源電圧を入力された前記電源電圧とは異なる設定値に変換した後、前記第２端子接続部を介して前記電磁石部に出力する電圧変換部と
を備える。
【発明の効果】
【０００８】
前記電磁継電器によれば、電磁継電器自体の構成（例えば、コイル）を変えることなく、異なる複数の電源電圧から選択された１つの電源電圧に対応した電圧変換部により、異なる複数の電源電圧に対応可能な電磁継電器を実現できる。
【０００９】
また、前記端子台によれば、異なる複数の電源電圧から選択された１つの電源電圧に対応した電圧変換部により、接続される電磁継電器自体の構成（例えば、コイル）を変えることなく、異なる複数の電源電圧に電磁継電器を対応させることができる端子台を実現できる。
【図面の簡単な説明】
【００１０】
【図１】本開示の一実施形態の電磁継電器の斜視図。
【図２】図１の電磁継電器のケースを取り除いた状態の側面図。
【図３】図１の電磁継電器のケースおよび接点機構部を取り除いた状態の正面模式図。
【図４】図１の電磁継電器のＩＣコンバータモジュール３０の回路図。
【図５】図１の電磁継電器の変形例を示す斜視図。
【図６】図５の電磁継電器のベースの上面図。
【図７】本開示の一実施形態の端子台の斜視図。
【図８】図７の端子台の背面図。
【図９】図７の端子台の変形例を示す正面図。
【発明を実施するための形態】
【００１１】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１２】
本開示の一実施形態の電磁継電器１は、図１に示すように、ベース１１およびケース１２で構成された略直体状のハウジング１０を備えている。ベース１１には、設置面１３が設けられている。ケース１２は、ベース１１の設置面１３を覆うようにベース１１に取り付けられている。ハウジング１０の内部には、ベース１１の設置面１３およびケース１２で構成された収容部１４が設けられている。
【００１３】
収容部１４には、電磁石部２０と、ＩＣコンバータモジュール３０と、接点機構部４０とが設けられている。
【００１４】
電磁石部２０は、図１に示すように、収容部１４に配置されかつベース１１の設置面１３に固定されており、コイル２１と、２つの第１コイル端子２２と、２つの第２コイル端子２３とを有している。この電磁石部２０は、第１コイル端子２２を介して電源電圧が入力されるように構成されている。
【００１５】
詳しくは、電磁石部２０は、設置面１３に交差（例えば直交）する方向に延びるコイル軸Ｌに沿って延びている筒状の胴部と、この胴部の延在方向の両端部に設けられた鍔部２４１とで構成されたスプール２４を有し、コイル２１は、スプール２４の胴部の回りに巻回されている。すなわち、コイル２１は、設置面１３に対して交差（例えば直交）する方向に延びるコイル軸Ｌ回りに巻回されている。
【００１６】
各第１コイル端子２２は、設置面１３に直交する方向から見て、ベース１１の長手方向におけるコイル２１に近い方の端部でかつベース１１の短手方向の両端部にそれぞれ配置されている。各第１コイル端子２２は、収容部１４の外部から収容部１４の内部まで設置面１３に交差する方向（例えば、コイル軸Ｌに略平行な方向）に延びかつコイル２１の近傍でベース１１に固定されている。
【００１７】
各第２コイル端子２３は、コイル２１に電気的に接続されていると共に、各々が１つの第１コイル端子２２に対応付けられて、第１コイル端子２２とは電気的に独立して配置されている。詳しくは、各第２コイル端子２３は、設置面１３に直交する方向から見て、スプール２４の鍔部２４１におけるベース１１の短手方向の両端部にそれぞれ固定され、スプール２４の鍔部２４１から設置面１３に交差する方向（例えば、コイル軸Ｌに略平行な方向）でかつベース１１に接近する方向に延びている。
【００１８】
すなわち、図２に示すように、各第１コイル端子２２および対応する第２コイル端子２３は、コイル軸Ｌに略平行かつ直列的にそれぞれ配置されている。なお、図２では、ケース１２を省略して示していない。
【００１９】
ＩＣコンバータモジュール３０は、図１に示すように、電磁石部２０のコイル２１に隣接して配置され、第１コイル端子２２および第２コイル端子２３に接続されている。このＩＣコンバータモジュール３０は、図２に示すように、基板３１と、この基板３１の同一板面にそれぞれ固定された電圧変換部３２およびコンデンサ３３と、ツェナーダイオード３８とからなっている。ＩＣコンバータモジュール３０では、図３に示すように、基板３１は、コイル軸Ｌに平行でかつ第１コイル端子２２および第２コイル端子２３の間に跨がって配置されている。また、図４に示すように、コンデンサ３３は、第１Ｖｉｎ（＋）側のコイル端子２２とＧＮＤ側のコイル端子２２との間に配置されている。また、ツェナーダイオード３８は、電磁継電器１を駆動させるゲート機能を有する電圧変換部３２のＥＮ端子とＶｉｎ（＋）側のコイル端子２２との間に配置されている。なお、図３では、ケース１２および接点機構部４０を省略して示していない。
【００２０】
電圧変換部３２は、収容部１４内でコイル２１に隣接して配置されて第１コイル端子２２および第２コイル端子２３に電気的に接続されていると共に、第１コイル端子２２を介して入力された電源電圧を変換した後、第２コイル端子２３を介して電磁石部２０に出力する。
【００２１】
詳しくは、電圧変換部３２は、ＩＣコンバータで構成され、図４に示すように、入力された電源電圧（例えば、ＤＣ４８Ｖ）を入力された電源電圧とは異なる設定値（例えば、ＤＣ５Ｖ）に降圧変換して出力するスイッチング制御部３４を有している。スイッチング制御部３４には、変換された電源電圧が第２コイル端子２２を介して出力されたときから経過した時間を計測する時間計測部３６が設けられている。この時間計測部３６により計測された時間が、所定時間（すなわち、電磁継電器１の動作に必要な時間（例えば、７０ｍｓ））に到達した場合、スイッチング制御部３４は、変換して出力される電源電圧を設定値よりも低くなるように降圧して（例えば、ＤＣ５ＶからＤＣ２．５Ｖに降圧して）、電磁石部２０に出力する。なお、設定値は、例えば、入力される電源電圧に応じて予め設定されている。
【００２２】
また、電圧変換部３２は、サージ電圧吸収用ダイオード３５を有している（すなわち、サージ電圧吸収用ダイオード３５を内蔵している）。このサージ電圧吸収用ダイオード３５は、電磁石部２０のコイル２１に対して並列に配置され、電源電圧の入力を停止したときにコイル２１で発生するサージ電圧を吸収する。
【００２３】
接点機構部４０は、ベース１１の長手方向において、電磁石部２０に対するＩＣコンバータモジュール３０の反対側に隣接して配置されている。この接点機構部４０は、略矩形板状の可動接点側端子４１と、この可動接点側端子４１の板面に直交する方向の両側に配置された２つの略矩形板状の固定接点側端子４２とで構成されている。可動接点側端子４１および固定接点側端子４２の各々は、収容部１４の外部から収容部１４の内部まで延びており、板面同士が対向するように電気的に独立して配置されている。可動接点側端子４１の収容部１４側の端部には、可動接点部４１１が設けられ、各固定接点側端子４２の収容部１４側の端部には、可動接点部４１１に対向する固定接点部４２１が設けられている。
【００２４】
電磁石部２０と可動接点側端子４１とは、収容部１４内で可動部５０を介して接続されている。可動部５０は、電磁石部２０の励磁／非励磁に応じて、ベース１１の長手方向に沿って駆動され、可動接点部４１１を固定接点部４２１に対して接触または開離させるように構成されている。
【００２５】
前記電磁継電器１によれば、電磁継電器１自体の構成（例えば、コイル）を変えることなく、異なる複数の電源電圧から選択された１つの電源電圧に対応した電圧変換部３２により、異なる複数の電源電圧に対応可能な電磁継電器１を実現できる。その結果、入力される電源電圧に応じて電磁継電器１の構成を変更する必要がなくなり、電磁継電器１の生産性の向上を図ることができる。また、異なる複数の電源電圧を用いる場合であっても、対応する電磁継電器１を間違えることによるトラブルを防ぐことができる。
【００２６】
また、電圧変換部３２を有することで、異なる複数の電源電圧に対応できることから、ＩＣコンバータモジュール３０のシーケンス回路の設計が容易になる。さらに、電磁継電器１の外部から操作する回路設計が不要となり、電磁継電器１を実装する基板のスペース効率の向上を図ることができるので、汎用性が高い電磁継電器１を実現できる。
【００２７】
また、電圧変換部３２が、電源電圧が第２コイル端子２３を介して出力されたときから経過した時間を計測する時間計測部３６を有し、この時間計測部３６により計測された時間が所定の時間に到達した場合に、電源電圧を設定値よりも低くなるように降圧して出力するように構成されている。これにより、電磁継電器１で消費される電力を低減することができる。
【００２８】
電磁継電器１で消費される電力を低減させる場合、例えば、可動接点部４１１が設けられている可動接点側端子４１のばね荷重を低減させて、コイル２１の消費電力を抑制することが考えられるが、この場合、開閉寿命が短くなる。前記電磁継電器１では、可動接点側端子４１のばね荷重を低減させることなく電磁継電器１で消費される電力を低減できるので、電磁継電器１の消費電力を低減させつつ開閉寿命の低減を防ぐことができる。
【００２９】
また、コイル２１が、設置面１３に交差する方向に延びるコイル軸Ｌ回りに巻回されており、コイル軸Ｌに平行でかつ第１コイル端子２２および第２コイル端子２３の間に跨がって配置されている基板３１と、この基板３１の同一板面にそれぞれ固定された電圧変換部３２、コンデンサ３３およびツェナーダイオード３８とからなるＩＣコンバータモジュール３０をさらに備える。これにより、電磁継電器１の収容部１４における無駄なスペースを削減することができ、電磁継電器１を小型化できる。
【００３０】
また、ツェナーダイオード３８が、電圧変換部３２のＥＮ端子とＶｉｎ（＋）側のコイル端子２２との間に配置されている。このツェナーダイオード３８は、例えば、電磁継電器１が自己復帰型の電磁継電器であり、Ｖｉｎ（＋）側のコイル端子２２にスイープ電圧が印加され、電圧変換部３２から出力された電源電圧による電磁継電器１を動作させることができる電圧（すなわち、保持力）よりも電磁継電器１の復帰力の方が大きい場合に、電磁継電器１内で発生する振動を防止できる。なお、ツェナーダイオード３８は、例えば、Ｖｉｎ（＋）側のコイル端子２２にスィープ電圧以外の電源電圧が印加される場合、省略することができる。
【００３１】
また、第１コイル端子２２と第２コイル端子２３とが、コイル２１の近傍でコイル軸Ｌに平行かつ直列的に配置されている。これにより、電磁継電器１の収容部１４における無駄なスペースをより削減することができ、電磁継電器１をさらに小型化できる。
【００３２】
また、電圧変換部３２が、サージ電圧吸収用ダイオード３５を有している。これにより、電源電圧の入力を停止したときにコイル２１で発生するサージ電圧を吸収して、サージ電圧による不具合の発生を防止できる。
【００３３】
なお、前記電磁継電器１は、少なくとも電圧変換部３２を備えていればよい。すなわち、基板３１およびコンデンサ３３を省略してもよいし、他の構成を追加しても構わない。
【００３４】
本開示は、前記電磁継電器１に限らず、任意の構成の電磁継電器に適用できる。例えば、図５に示す電磁継電器１では、ベース１１の設置面１３に固定された電磁石部２０と、電磁石部２０に回動可能に支持された可動部５０と、可動部５０の回動により開閉する接点機構部４０とを備えている。なお、図５では、ケース１２を省略して示していない。
【００３５】
図５に示す電磁継電器１では、図６に示すように、ベース１１の設置面１３に電圧変換部３２およびコンデンサ３３が一体に設けられている。第１コイル端子２２、第２コイル端子２３、電圧変換部３２およびコンデンサ３３は、例えば、クリームはんだ印刷により形成された導通部３７により相互に接続されている。
【００３６】
このように、電圧変換部３２はベース１１の設置面１３に一体に設けることもできるので、設計の自由度の高い電磁継電器１を実現できる。
【００３７】
図５に示す電磁継電器１には、ツェナーダイオード３８を設けていないが、例えば、Ｖｉｎ（＋）側のコイル端子２２に印加される電源電圧に応じて、電圧変換部３２のＥＮ端子とＶｉｎ（＋）側のコイル端子２２との間にツェナーダイオード３８を設けることができる。
【００３８】
また、本開示は、図７〜図９に示すように、電磁継電器を接続可能な端子台２にも適用できる。例えば、図７に示す端子台２は、図８に示すように、第２収容部６１を有する端子台ハウジング６０と、第２収容部６１に収容された複数の端子接続部６２とを有している。
【００３９】
端子台ハウジング６０には、図７に示すように、電磁継電器を外部から接続可能な接続面６３が設けられている。また、複数の端子接続部６２には、図８に示すように、電源の電源端子１１０（図９参照）が接続可能な第１端子接続部６２１と、接続面６３に接続された電磁継電器１００のコイル端子１０３（図９参照）が接続可能な第２端子接続部６２２とが含まれている。
【００４０】
図７に示す端子台２では、図８に示すように、電圧変換部３２を有するＩＣコンバータモジュール３０が、第２収容部６１内でかつ第１端子接続部６２１および第２端子接続部６２２の間に配置されて、第１端子接続部６２１および第２端子接続部６２２に電気的に接続されている。
【００４１】
前記端子台２によれば、異なる複数の電源電圧から選択された１つの電源電圧に対応した電圧変換部３２により、接続される電磁継電器１００自体の構成（例えば、コイル）を変えることなく、異なる複数の電源電圧に電磁継電器１００を対応させることができる端子台２を実現できる。その結果、接続される電磁継電器１００の構成を入力される電源電圧に応じて変更する必要がなくなり、電磁継電器１００の生産性の向上を図ることができる。また、異なる複数の電源電圧を用いる場合であっても、接続する電磁継電器１００を間違えることによるトラブルを防ぐことができる。
【００４２】
なお、電磁継電器１００は、図９に示すように、例えば、内部に第１収容部１０２を有するリレーハウジング１０１と、第１収容部１０２に配置された電磁石部１０４とを有している。電磁石部１０４は、第１収容部１０２の外部から第１収容部１０２の内部まで延びるコイル端子１０３を有し、第１収容部１０２に配置されかつリレーハウジング１０１に固定されていると共に、コイル端子１０３を介して電源から電力が供給されるように構成されている。
【００４３】
また、図９に示す端子台２では、電磁継電器１００が接続され、電源の電源端子１１０が第１端子接続部６２１に接続されている。図９に示す端子台２では、電圧変換部３２およびコンデンサ３３が、第２収容部６１内で端子台ハウジング６０に一体に設けられている。第１端子接続部６２１、第２端子接続部６２２、電圧変換部３２およびコンデンサ３３は、例えば、クリームはんだ印刷により形成された導通部３７により相互に接続されている。
【００４４】
このように、電圧変換部３２を第２収容部６１内で端子台ハウジング６０に一体に設けることで、端子台２の設計の自由度を高めることができる。
【００４５】
図７〜図９に示す端子台２には、ツェナーダイオード３８を設けていないが、例えば、Ｖｉｎ（＋）側のコイル端子２２に印加される電源電圧に応じて、電圧変換部３２のＥＮ端子とＶｉｎ（＋）側のコイル端子２２との間にツェナーダイオード３８を設けることができる。
【００４６】
なお、電圧変換部３２は、サージ電圧吸収用ダイオード３５および時間計測部３６のいずれかまたは両方を有することができる。サージ電圧吸収用ダイオード３５を有することで、電源電圧の入力を停止したときに電磁継電器１００の電磁石部２０で発生するサージ電圧を吸収して、サージ電圧による不具合の発生を防止できる。また、時間計測部３６を有することで、時間計測部３６により計測された時間が所定の時間に到達した場合に電源電圧を設定値よりも低くなるように降圧して出力するように、電圧変換部３２を構成でき、電磁継電器１００で消費される電力を低減することができる。
【００４７】
以上、図面を参照して本開示における種々の実施形態を詳細に説明したが、最後に、本開示の種々の態様について説明する。なお、以下の説明では、一例として、参照符号も添えて記載する。
【００４８】
本開示の第１態様の電磁継電器１は、
設置面１３を有するベース１１と、
前記設置面１３を覆うように前記ベース１１に取り付けられて前記設置面１３と共に収容部１４を構成するケース１２と、
コイル２１と、前記収容部１４の外部から前記収容部１４の内部まで前記設置面１３に交差する方向に延びかつ前記ベース１１に固定された第１コイル端子２２と、前記コイル２１に電気的に接続されていると共に前記第１コイル端子２２とは電気的に独立して配置された第２コイル端子２３とを有し、前記収容部１４に配置されかつ前記設置面１３に固定されている電磁石部２０と、
前記収容部１４内で前記コイル２１に隣接して配置されて前記第１コイル端子２２および前記第２コイル端子２３に電気的に接続されていると共に、前記第１コイル端子２２を介して入力された電源電圧を入力された前記電源電圧とは異なる設定値に変換した後、前記第２コイル端子２３を介して前記電磁石部２０に出力する電圧変換部３２と
を備える。
【００４９】
第１態様の電磁継電器１によれば、電磁継電器１自体の構成（例えば、コイル）を変えることなく、異なる複数の電源電圧から選択された１つの電源電圧に対応した電圧変換部３２により、異なる複数の電源電圧に対応可能な電磁継電器１を実現できる。
【００５０】
本開示の第２態様の電磁継電器１は、
前記電圧変換部３２が、
前記電源電圧が前記第２コイル端子２３を介して出力されたときから経過した時間を計測する時間計測部３６を有し、
前記時間計測部３６により計測された時間が所定の時間に到達した場合に、前記電源電圧を前記設定値よりも低くなるように降圧して出力するように構成されている。
【００５１】
第２態様の電磁継電器１によれば、時間計測部３６により計測された時間が所定の時間に到達した場合に、電源電圧を設定値よりも低くなるように降圧して出力するように構成されている電圧変換部３２により、電磁継電器１で消費される電力を低減することができる。
【００５２】
本開示の第３態様の電磁継電器１は、
前記コイル２１が、前記設置面１３に交差する方向に延びるコイル軸Ｌ回りに巻回されており、
前記コイル軸Ｌに平行でかつ前記第１コイル端子２２および前記第２コイル端子２３の間に跨がって配置されている基板３１と、この基板３１の同一板面にそれぞれ固定された前記電圧変換部３２、コンデンサ３３およびツェナーダイオード３８とからなるＩＣコンバータモジュール３０をさらに備える。
【００５３】
第３態様の電磁継電器１によれば、ＩＣコンバータモジュール３０を備えることにより、電磁継電器１の収容部１４における無駄なスペースを削減することができ、電磁継電器１を小型化できる。
【００５４】
また、例えば、電磁継電器１が自己復帰型の電磁継電器であり、Ｖｉｎ（＋）側のコイル端子２２にスイープ電圧が印加され、電圧変換部３２から出力された電源電圧による電磁継電器１を動作させることができる電圧（すなわち、保持力）よりも電磁継電器１の復帰力の方が大きい場合に、電磁継電器１内で発生する振動を防止できる。
【００５５】
本開示の第４態様の電磁継電器１は、
前記第１コイル端子２２と前記第２コイル端子２３とが、前記コイル２１の近傍で前記コイル軸Ｌに平行かつ直列的に配置されている。
【００５６】
第４態様の電磁継電器１によれば、電磁継電器１の収容部１４における無駄なスペースをより削減することができ、電磁継電器１をさらに小型化できる。
【００５７】
本開示の第５態様の電磁継電器１は、
前記電圧変換部３２が、前記設置面１３に一体に設けられている。
【００５８】
第５態様の電磁継電器１によれば、設計の自由度の高い電磁継電器１を実現できる。
【００５９】
本開示の第６態様の電磁継電器１は、
前記電圧変換部３２が、サージ電圧吸収用ダイオード３５を有している。
【００６０】
第６態様の電磁継電器１によれば、電源電圧の入力を停止したときにコイル２１で発生するサージ電圧を吸収して、サージ電圧による不具合の発生を防止できる。
【００６１】
本開示の第７態様の端子台２は、
内部に第１収容部１０２を有するリレーハウジング１０１と、前記第１収容部１０２の外部から前記第１収容部１０２の内部まで延びるコイル端子１０３を有し、前記第１収容部１０２に配置されかつ前記リレーハウジング１０１に固定されていると共に、前記コイル端子１０３を介して電源から電力が供給される電磁石部１０４とを有する電磁継電器１００を接続可能な端子台２であって、
内部に第２収容部６１を有し、前記電磁継電器１００を外部から接続可能な接続面６３が設けられた端子台ハウジング６０と、
前記第２収容部６１に配置され、前記電源の電源端子１１０が接続可能な第１端子接続部６２１と、
前記第２収容部６１に配置され、前記接続面６３に接続された前記電磁継電器１００の前記コイル端子１０３が接続可能な第２端子接続部６２２と、
前記第２収容部６１に配置されかつ前記第１端子接続部６２１および前記第２端子接続部６２２に電気的に接続されていると共に、前記第１端子接続部６２１を介して入力された電源電圧を入力された前記電源電圧とは異なる設定値に変換した後、前記第２端子接続部６２２を介して前記電磁石部１０４に出力する電圧変換部３２と
を備える。
【００６２】
第７態様の端子台２によれば、異なる複数の電源電圧から選択された１つの電源電圧に対応した電圧変換部３２により、接続される電磁継電器１００自体の構成（例えば、コイル）を変えることなく、異なる複数の電源電圧に電磁継電器１００を対応させることができる端子台２を実現できる。
【００６３】
本開示の第８態様の端子台２は、
前記電圧変換部３２が、
前記電源電圧が前記第２端子接続部６２２を介して出力されたときから経過した時間を計測する時間計測部３６を有し、
前記時間計測部３６により計測された時間が所定の時間に到達した場合に、前記電源電圧を前記設定値よりも低くなるように降圧して出力するように構成されている。
【００６４】
第８態様の端子台２によれば、時間計測部３６により計測された時間が所定の時間に到達した場合に、電源電圧を設定値よりも低くなるように降圧して出力するように構成されている電圧変換部３２により、電磁継電器１で消費される電力を低減することができる。
【００６５】
本開示の第９態様の端子台２は、
基板３１と、この基板３１の同一板面にそれぞれ固定された前記電圧変換部３２、コンデンサ３３およびツェナーダイオード３８とで構成されているＩＣコンバータモジュール３０をさらに備える。
【００６６】
第９態様の端子台２によれば、設計の自由度の高い電磁継電器１を実現できる。
【００６７】
また、例えば、電磁継電器１００が自己復帰型の電磁継電器であり、Ｖｉｎ（＋）側のコイル端子２２にスイープ電圧が印加され、電圧変換部３２から出力された電源電圧による電磁継電器１００を動作させることができる電圧（すなわち、保持力）よりも電磁継電器１００の復帰力の方が大きい場合に、電磁継電器１００内で発生する振動を防止できる。
【００６８】
本開示の第１０態様の端子台２は、
前記電圧変換部３２が、前記第２収容部６１内で前記端子台ハウジング６０に一体に設けられている。
【００６９】
第１０態様の端子台２によれば、設計の自由度の高い電磁継電器１を実現できる。
【００７０】
本開示の第１１態様の端子台２は、
前記電圧変換部３２が、サージ電圧吸収用ダイオード３５を有している。
【００７１】
第１１態様の端子台２によれば、電源電圧の入力を停止したときに電磁継電器１００の電磁石部２０で発生するサージ電圧を吸収して、サージ電圧による不具合の発生を防止できる。
【００７２】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７３】
本開示の電磁継電器および端子台は、例えば、パワーコンディショナに適用できる。
【符号の説明】
【００７４】
１  電磁継電器
２  端子台
１０  ハウジング
１１  ベース
１２  ケース
１３  設置面
１４  収容部
２０  電磁石部
２１  コイル
２２  第１コイル端子
２３  第２コイル端子
２４  スプール
２４１  鍔部
３０  ＩＣコンバータモジュール
３１  基板
３２  電圧変換部
３３  コンデンサ
３４  スイッチング制御部
３５  サージ電圧吸収用ダイオード
３６  時間計測部
３７  導通部
３８  ツェナーダイオード
４０  接点機構部
４１  可動接点側端子
４１１  可動接点部
４２  固定接点側端子
４２１  固定接点部
５０  可動部
６０  端子台ハウジング
６１  第２収容部
６２  端子接続部
６２１  第１端子接続部
６２２  第２端子接続部
６３  接続面
１００  電磁継電器
１０１  リレーハウジング
１０２  第１収容部
１０３  コイル端子
１０４  電磁石部
１１０  電源端子
Ｌ  コイル軸
【図１】
2019129010.tif 000003
【図２】
2019129010.tif 000004
【図３】
2019129010.tif 000005
【図４】
2019129010.tif 000006
【図５】
2019129010.tif 000007
【図６】
2019129010.tif 000008
【図７】
2019129010.tif 000009
【図８】
2019129010.tif 000010
【図９】
2019129010.tif 000011